(57)【要約】【課題】  従来のＬＥＤ照明装置には次のような欠点があった。発光が連続点灯だけであったり、ＯＮ−ＯＦＦ比率が略等しい点滅のみであったり或いは発光グローブが複数であっても、実際炎の揺らぎには程遠かった。【解決手段】  本発明においては  第１のＬＥＤ群、第２のＬＥＤ群を立体的に配置し、さらにこれらのＬＥＤ群を収容した第１のグローブをさらに第２のグローブ内に収容する。  ＬＥＤ群は連続点灯若しく点灯と点滅を繰り返すサイクル点灯をする。【選択図】  図１
2006228692.tif 000002
【特許請求の範囲】
【請求項１】
専ら連続点灯状態の第１のＬＥＤ群と、点灯状態の後に前記点灯時間より短い時間内において点滅する点灯と点滅とからなるサイクルを１サイクルとして無限に前記サイクルを繰り返す第２のＬＥＤ群とにより構成するＬＥＤ照明装置。
【請求項２】
砲弾型ＬＥＤ群外面に密着してＬＥＤを収容する白色顔料による拡散剤を含有して成型する第１樹脂グローブを、第１樹脂グローブと白色顔料による拡散剤を含有して成型する第２樹脂グローブとの間に相当な空間を隔てて第２樹脂グローブ内に収容する様に構成することを特徴とする請求項１記載のＬＥＤ照明装置。
【発明の詳細な説明】
【技術分野】
【０００１】  本発明は、ＬＥＤを使用した揺らぎ照明装置に関する。
【背景技術】
【０００２】  従来、交流電源と電球を使用した照明装置（例えば特許文献１参照）もしくはＬＥＤを使用した照明装置はあったが、それらは専ら連続した点灯であったり、発光の強弱を光の点滅により成しても、単に点灯時間と消灯時間が大略等しい点滅の繰り返しにより変化させたりするもの（例えば特許文献２参照）
或いはグローブが２個であってもＬＥＤと内グローブとの間隔、内グローブと外グローブとの間隔が大略等しいもの（例えば特許文献３参照）
などに限られていた。
【特許文献１】  特開平１０−１２５１１０号  公報
【特許文献２】  特許第２７７７０５９号  公報
【特許文献３】  特開２００２−４２５１９号  公報
【発明の開示】
【発明が解決しようとする課題】
【０００３】  これらには次のような欠点があった。発光が連続点灯であったり、連続点灯と組み合わせた点滅のＯＮ−ＯＦＦ比率が等しい点滅のみであったり或いは発光グローブが複数であっても、光の変化に限りがあり実際炎の揺らぎには程遠かった。
本発明は、これらの欠点を解決するためになされたものである。
【課題を解決するための手段】
【０００４】  一実施例としてＬＥＤの配置を立体的に見た場合、第１のＬＥＤ群、第２のＬＥＤ群を立体的に配置し、さらにこれらのＬＥＤ群を収容した第１グローブをさらに第２グローブ内に相当な空間を隔てて収容する構成とする。
【発明の効果】
【０００５】  本発明においては第２グローブ内に収容した第１グローブを透視することにより、実際炎の揺らぎに極めて酷似した効果を奏するＬＥＤ照明装置を提供する。
【発明を実施するための最良の形態】
【０００６】  砲弾型ＬＥＤ群外面に密着してＬＥＤを収容する拡散剤を含有して成型する第１樹脂グローブを、第１樹脂グローブと拡散剤を含有して成型する第２樹脂グローブとの間に相当な空間を隔てて第２樹脂グローブ内に収容する様に構成し、第１のＬＥＤ群、第２のＬＥＤ群を立体的に配置する。【０００７】  ＬＥＤ群は専ら連続点灯状態の第１のＬＥＤ群と、点灯状態の後に前記点灯時間より短い時間内において点滅する点灯と点滅とからなるサイクルを１サイクルとして無限に前記サイクルを繰り返す第２のＬＥＤ群とにより構成する。
以上の構成により直接点灯若しくは点滅するＬＥＤ群により第１グローブが発光し、さらにこの発光を第２グローブを通して視覚、認識する。
【図面の簡単な説明】
【０００８】
【図１】本発明の全体構成図である。
【図２】本発明の第１のグローブ、第２のグローブ部分の断面図である。
【図１】
2006228692.tif 000003
【図２】
2006228692.tif 000004
【図３】
2006228692.tif 000005
【図４】
2006228692.tif 000006
【図５】
2006228692.tif 000007
【図６】
2006228692.tif 000008
【手続補正書】
【提出日】平成17年4月8日(2005.4.8)
【手続補正１】
【補正対象書類名】明細書
【補正対象項目名】全文
【補正方法】変更
【補正の内容】
【発明の詳細な説明】
【技術分野】
【０００１】  本発明は、ＬＥＤを使用した揺らぎ照明装置に関する。
【背景技術】
【０００２】  従来、交流電源と電球を使用した照明装置（例えば特許文献１参照）もしくはＬＥＤを使用した照明装置はあったが、それらは専ら連続した点灯であったり、発光の強弱を光の点滅により成しても、単に点灯時間と消灯時間が大略等しい点滅の繰り返しにより変化させたりするもの（例えば特許文献２参照）
或いはグローブが２個であってもＬＥＤと内グローブとの間隔、内グローブと外グローブとの間隔が大略等しいもの（例えば特許文献３参照）
などに限られていた。
【特許文献１】    特開平１０−１２５１１０号  公報
【特許文献２】    特許第２７７７０５９号  公報
【特許文献３】    特開２００２−４２５１９号  公報
【発明の開示】
【発明が解決しようとする課題】
【０００３】  これらには次のような欠点があった。発光が連続点灯であったり、連続点灯と組み合わせた点滅のＯＮ−ＯＦＦ比率が等しい点滅のみであったり或いは発光グローブが複数であっても、光の変化に限りがあり実際炎の揺らぎには程遠かった。
本発明は、これらの欠点を解決するためになされたものである。
【課題を解決するための手段】
【０００４】  一実施例としてＬＥＤの配置を立体的に見た場合、第１のＬＥＤ群、第２のＬＥＤ群を立体的に配置し、さらにこれらのＬＥＤ群を収容した第１グローブをさらに第２グローブ内に相当な空間を隔てて収容する構成とする。
【発明の効果】
【０００５】  本発明においては第２グローブ内に収容した第１グローブを透視することにより、実際炎の揺らぎに極めて酷似した効果を奏するＬＥＤ照明装置を提供する。
【発明を実施するための最良の形態】
【０００６】  砲弾型ＬＥＤ群外面に密着してＬＥＤを収容する拡散剤を含有して成型する第１樹脂グローブを、第１樹脂グローブと拡散剤を含有して成型する第２樹脂グローブとの間に相当な空間を隔てて第２樹脂グローブ内に収容する様に構成し、第１のＬＥＤ群、第２のＬＥＤ群を立体的に配置する。【０００７】  ＬＥＤ群は専ら連続点灯状態の第１のＬＥＤ群と、点灯状態の後に前記点灯時間より短い時間内において点滅する点灯と点滅とからなるサイクルを１サイクルとして無限に前記サイクルを繰り返す第２のＬＥＤ群とにより構成する。
以上の構成により直接点灯若しくは点滅するＬＥＤ群により第１グローブが発光し、さらにこの発光を第２グローブを通して視覚、認識する。
【図面の簡単な説明】
【０００８】
【図１】本発明の全体構成図である。
【図２】本発明の第１のグローブ、第２のグローブ部分の断面図である。
【図３】本発明の立体的なＬＥＤ配列図の１実施例である。
【図４】本発明の平面的なＬＥＤ配列図の１実施例である。
【図５】本発明のサイクル点灯するＬＥＤ群に印加する電圧波形の１実施例である。
【図６】本発明のＬＥＤ群に印加する波形を発生する電子回路の１実施例である。
【符号の説明】
【０００９】  １．第１のＬＥＤ群
２．第２のＬＥＤ群
３．第１のグローブ
４．第２のグローブ
５．制御基板
６．直流電源